(57)【要約】【課題】  購入済みの乗物にも適用可能であり、高精度にアルコールを検出でき、不正操作の可能性も低い飲酒運転防止装置を提供する。【解決手段】  製造後の乗物に取付け可能に構成された飲酒運転防止装置ＥＱＵである。運転者の吹き付け動作に反応して呼気中のアルコール濃度を検出する検査部ＨＮと、検査部ＨＮからの信号を受ける制御回路４を内蔵し、直射日光の当らない箇所に配置される本体部１とを備える。制御回路４は、アルコールチェックの異常判定結果に対応して二値的な第１動作が許容されるが、正常判定結果に対応して前記第１動作が禁止される第１回路８Ａと、第１回路８Ａの第１動作に起因して、乗物始動用の通電が禁止される第２回路８Ｂとを備える。【選択図】    図２
2005096663.tif 000002
【特許請求の範囲】
【請求項１】
製造後の乗物に取付け可能に構成された飲酒運転防止装置であって、
運転者の吹き付け動作に反応して呼気中のアルコール濃度を検出する検査部と、
検査部からの信号を受ける制御回路を内蔵し、直射日光の当らない箇所に配置される本体部とを備え、
前記制御回路は、アルコールチェックの異常判定結果に対応して二値的な第１動作が許容される一方、正常判定結果に対応して前記第１動作が禁止される第１回路と、前記第１回路の第１動作に起因して、乗物始動用の通電が禁止される第２回路とを備えていることを特徴とする飲酒運転防止装置。
【請求項２】
本装置を強制的に乗物の電気回路から切り離す第３回路を更に備え、前記第３回路の操作部は、一度剥離すると再貼着できないシート材によって操作不能にされている請求項１に記載の飲酒運転防止装置。
【請求項３】
前記第１動作は、第１回路の通電動作である請求項１又は２に記載の飲酒運転防止装置。
【請求項４】
前記検査部には、アルコールセンサの他に、温度センサ、湿度センサ、圧力センサ、流量センサの何れか一以上が内蔵されている請求項１〜３の何れかに記載の飲酒運転防止装置。
【請求項５】
第１回路及び第２回路は、リレーコイルとリレー接点の直列回路をそれぞれ備え、第１回路が前記第１動作をすると、これに起因して第２回路のリレー接点が開放されるようになっている請求項１〜４の何れかに記載の飲酒運転防止装置。
【請求項６】
第１回路及び第２回路は、リレーコイルとリレー接点の直列回路をそれぞれ備え、第２回路が通電動作をすると、これに起因して第１回路のリレー接点が開放されるようになっている請求項１〜５の何れかに記載の飲酒運転防止装置。
【請求項７】
製造後の乗物に取付け可能に構成され、コンピュータ回路を搭載した飲酒運転防止装置であって、
運転者の呼気吹き付け動作にのみ反応して、呼気中のアルコール濃度を検出する検査手段と、
検出したアルコール濃度が所定値を下回る場合だけ、乗物始動用の通電を許可する許可手段とを備え、
前記検査手段は、温度センサ及び／又は湿度センサからの信号が、定常時に比べて有意に変化したことに基づいて、運転者の吹き付け動作を検出していることを特徴とする飲酒運転防止装置。
【請求項８】
定常時に比べて有意に変化したか否かは、検査動作に先だって検出されたセンサからの信号に基づいて判定されている請求項７に記載の飲酒運転防止装置。
【発明の詳細な説明】
【技術分野】
【０００１】
本発明は、自動車、電車、船、飛行機などの乗物に後付けできる飲酒運転防止装置に関し、観光バス、タクシー、長距離トラックなどの営業車に好適に適用される発明である。
【背景技術】
【０００２】
乗客を運搬するタクシーや観光バス、或いは昼夜を通して運転される長距離トラックなどでは、自動車事故の未然防止が極めて重要であり、万が一にも飲酒運転や酒気帯び運転があってはならない。そのため、運行管理者には、確実に、社員の酒気帯び運転を防止する人事管理上の厳しい責任が課されている。
【０００３】
ところで、かかる飲酒運転を未然防止する装置として、古くから各種の発明が提案されている（特許文献１〜１０）。
【特許文献１】特開昭４７−０４０９９４
【特許文献２】特開昭４８−０９４１２８
【特許文献３】特開昭４９−０４２１８６
【特許文献４】特公昭５１−０２１６９８
【特許文献５】特開昭５０−０１２７２５
【特許文献６】特開昭５０−０１４０３４
【特許文献７】特開昭５０−０７３３４０
【特許文献８】特開昭５９−２２０４２１
【特許文献９】特開昭６３−０５３１２０
【特許文献１０】特開平０６−１９７８９７
【発明の開示】
【発明が解決しようとする課題】
【０００４】
しかしながら、何れの発明も有効性に欠ける面があった。先ず、上記の発明の殆どは、運転者の呼気を運転開始時に吸気ポンプで吸収する構成であるため、検出感度が低いという問題点がある。ここで、無理にアルコールセンサの感度を上げると、運転者以外の乗客（酒気を帯びた乗客）のアルコールに反応してしまい誤動作が避けられないという問題がある。
【０００５】
一方、アルコールセンサに運転者の呼気を吹き当てる構成も提案されているが（特許文献１〜３）、不正操作による違法運転の可能性があるなど、まだまだ機器構成上の完成度に欠けている。しかも、これらの構成は、そもそも購入後の自動車に後付けできるものではないという致命的な欠点がある。すなわち、バスやトラックは極めて高価であるところ、単に、運行管理者の責任を果たすためだけに、新たに営業車を購入するとは考えられず、したがって、上記特許文献に記載の提案は、飲酒運転防止に関して現実性に欠けている。
【０００６】
また、上記の各提案は、一般の乗用車を対象としており、営業車を全く意図していないが、飲酒運転防止装置は営業車にこそ必要であり、一般の乗用車なら運転者のモラルに任せれば足りる。すなわち、乗客や重要な貨物を運搬しない一般の運転者なら、携帯用のアルコールチェック製品を使用して自己のアルコール濃度を把握すれば足り、その後の判断は各自に委ねたら良い。
【０００７】
更にまた、上記の各提案は、機器の故障に対する対策が施されておらず、この点も重大な欠点である。すなわち、電子回路には故障がつきものであるところ、万一、電子回路上のトラブルで自動車が始動できなくなった場合には、自動車の一般のトラブルと違い、ＪＡＦ（社団法人：日本自動車連盟）等では対応できず、自動車を始動できない弊害は、特に営業車の場合には致命的である。
【０００８】
本発明は、上記の問題点に鑑みてなされたものであって、営業車を中心として購入済みの乗物にも適用可能であり、高精度にアルコールを検出でき、不正操作の可能性も低い飲酒運転防止装置を提供することを課題とする。また、電子回路のトラブル時にも自動車を始動できる飲酒運転防止装置を提供することを課題とする。
【課題を解決するための手段】
【０００９】
上記の課題を解決するため、本願第１発明は、製造後の乗物に取付け可能に構成された飲酒運転防止装置であって、運転者の吹き付け動作に反応して呼気中のアルコール濃度を検出する検査部と、検査部からの信号を受ける制御回路を内蔵し、直射日光の当らない箇所に配置される本体部とを備え、前記制御回路は、アルコールチェックの異常判定結果に対応して二値的な第１動作が許容される一方、正常判定結果に対応して前記第１動作が禁止される第１回路と、前記第１回路の第１動作に起因して、乗物始動用の通電が禁止される第２回路とを備えている。
【００１０】
本発明において、運転者の吹き付け動作を確実に検出するため、温度センサ、湿度センサ、圧力センサ、又は、流量センサの何れか一つ、又は一以上を組み合わせて使用するのが好適である。一以上のセンサを組み合わせて使用する場合には、複数個のセンサの出力が同期して変化することによって吹き付け動作を確認できる。
【００１１】
また、本願第２発明は、製造後の乗物に取付け可能に構成され、コンピュータ回路を搭載した飲酒運転防止装置であって、運転者の呼気吹き付け動作にのみ反応して、呼気中のアルコール濃度を検出する検査手段と、検出したアルコール濃度が所定値を下回る場合だけ、乗物始動用の通電を許可する許可手段とを備え、前記検査手段は、温度センサ及び／又は湿度センサからの信号が、定常時に比べて有意に変化したことに基づいて、運転者の吹き付け動作を検出している。
【００１２】
第２発明において、定常時に比べて有意に変化したか否かは、検査動作に先だって検出されたセンサからの信号に基づいて判定されるのが好適である。この場合、定常時の温度や湿度がもともと極端に高い環境下では、数値上の有意な変化がなくても、有意な変化があると擬制するのが好適である。
【００１３】
また、第２発明でも、アルコールチェックの異常判定結果に対応して二値的な第１動作が許容される一方、正常判定結果に対応して前記第１動作が禁止される第１回路と、前記第１回路の第１動作に起因して、乗物始動用の通電が禁止される第２回路とを備えているのが好適であり、第１発明の場合に好適な構成は、そのまま第２発明にも妥当する。
【発明の効果】
【００１４】
以上説明した本発明によれば、購入済みの乗物にも適用可能であり、高精度にアルコールを検出でき、不正操作の可能性も低い飲酒運転防止装置を実現できる。
【発明を実施するための最良の形態】
【００１５】
以下、実施例に基づいて本発明の実施の形態を説明する。図１（ａ）は、実施例に係る飲酒運転防止装置ＥＱＵの外観状態を図示したものである。図示の通り、この装置ＥＱＵは、本体部１とベース板２とが一体化され、自動車の運転席のフロアーに取り付けられるようになっている。なお、フロアーへの取り付けは、ボルト／ナットを使用しても良いが、ベース板２の裏面に貼着した両面接着層を利用するのが簡易的である。
【００１６】
本装置ＥＱＵの本体部１は、自動車バッテリからの電圧を利用して動作するが、その頂面には、各種センサを内蔵して呼気の吹き込みを受ける検査部ＨＮと、アルコールチェック時に操作される検査ボタンＢＴと、アルコール濃度の検査結果を示す報知ランプＰＬとが現われている。ここで、検査部ＨＮは、適度な強度で巻き取り方向に付勢されており（図１（ｂ）参照）、使用時にのみ引き出され、通常は、図示の状態に巻き取られている。なお、検査ボタンＢＴは跳ね返り型スイッチであり、報知ランプＰＬは赤色と緑色に発光可能な二色ＬＥＤである。
【００１７】
ところで、検査部ＨＮの最大引き出し長さは１ｍ程度であるので、本装置ＥＱＵを、右ハンドル車の運転席右側のフロワーに設置しておけば（左ハンドル車では運転席左側フロワー）、運転者以外の者が検査部ＨＮに息を吹き込むことはできない。このように、本装置ＥＱＵは、運転席のフロアーに取り付けられ、しかも、検査部ＨＮが本体部１に強制的に巻き取られているので、直射日光を受けることがなく、温度センサや湿度センサは、運転席の温度や湿度を正確に計測することができる。
【００１８】
また、本体部１の頂面には、スライドスイッチＳＷ０の上面を操作不能に覆う剥離シート３が貼着されている。スライドスイッチＳＷ０は、図２に示す通り、本装置ＥＱＵの故障時などに、本装置ＥＱＵを自動車から切り離すためのスイッチであり、一度剥離すると二度と貼着できない剥離シート３で覆われている。なお、剥離シート３は、必ずしも、スライドスイッチＳＷ０全体を覆う必要はなく、図１（ｃ）のように、スライド操作が不能となるように貼着したのでも良い。
【００１９】
図２は、本体部１に収容された制御回路４の回路図を図示したものである。図示の通り、この制御回路４は、第１コネクタＣＮ１，ＣＮ１を通して検査部ＨＮと接続されており、ヒータ電源ＶＨ及び電源電圧ＶＣを検査部ＨＮに供給する一方、検査部ＨＮからは、アルコールセンサ出力ＶＯ、温度センサ出力Ｖ１、及び湿度センサ出力Ｖ２を受けている。
【００２０】
図３は、検査部ＨＮに内蔵されたアルコールセンサＲＳの接続構成を示したものである。この実施例では、ガス（ここではエタノール）が、酸化物半導体の表面で吸着反応して電気的抵抗が変化することを利用する「表面制御型半導体ガスセンサ」を使用している。なお、酸化物半導体としては、ＳｎＯ２やＺｎＯなどのｎ型半導体が用いられる。
【００２１】
表面制御型半導体ガスセンサは、所定温度に加熱しておく必要があるので、本体部１からヒータ電源ＶＨを受けて、アルコールセンサＲＳを所定温度に加熱している。また、アルコールセンサＲＳに直列に負荷抵抗ＲＬが接続されており、本体部１から受けた電源電圧ＶＣを分圧して出力電圧ＶＯとしている。アルコールセンサＲＳは、呼気中のエタノール濃度が高まるほど抵抗値が低下するので、出力電圧ＶＯはエタノール濃度に対応して増加することになる。なお、本実施例では、ヒータ電源ＶＨと電源電圧ＶＣを別々に供給しているが、同一電圧で動作可能なアルコールセンサＲＳを使用して、１つの電源を共用するのが好適である。
【００２２】
温度センサや湿度センサも、公知のセンサを使用可能であるが、この実施例では、温度センサとしてはサーミスタを使用し、湿度センサとして「インピーダンス変化センサ」を使用している。ここで、インピーダンス変化センサとは、電解質、高分子、金属酸化物（セラミック）など、湿度によって電気抵抗が変化するものを意味する。
【００２３】
図２に戻って説明を続けると、本体部１に内蔵された制御回路４は、第２コネクタＣＮ２を通して本体部１頂面の検査ボタンＢＴと報知ランプＰＬに接続されている。また、制御回路４は、第３コネクタＣＮ３を通して、自動車の電気回路とも接続されている。具体的には、制御回路４は、自動車のバッテリＥの出力端子と、グランド端子Ｇと、及びスタートスイッチＳＷ１の出力端子とに、それぞれ接続されている。また、制御回路４から自動車のイグニッション回路５に対して、直流電圧が出力されている。
【００２４】
図２に示すように、制御回路４の回路基板は、スタートスイッチＳＷ１とイグニッション回路５との配線を切断し、その間（Ａ−Ａ’間）に配置する必要がある。そのため、本実施例では、自動車のヒューズボックスからヒューズを除去し、ヒューズボックスの入力端子Ａから制御回路４への入力配線ＬＩＮを引出し、制御回路４の出力配線ＬＯＵＴをヒューズボックスの出力端子Ａ’に接続している。なお、ヒューズボックスから取り出したヒューズＨＵは、本体部１のヒューズボックス６（図１）に装着している。
【００２５】
続いて、図２に示す制御回路４の回路構成について説明する。この制御回路４は、ワンチップマイコン７と、通電制御回路８（８Ａ，８Ｂ，８Ｃ）と、電源部９とを中心に構成されている。ワンチップマイコン７には、ＣＰＵコア、ＲＯＭ(Read Only Memory)、ＲＡＭ(Random Access Memory)、入出力ポート１１，１２の他に、Ａ／Ｄコンバータ１０が内蔵されており、アルコールセンサ、温度センサ、及び湿度センサからのアナログ出力電圧をそれぞれ受けて、デジタルデータに変換している。
【００２６】
そして、変換されたデータは、図６に示す判定プログラムで処理され、ワンチップマイコン７に内蔵された出力ポート１１から１ビットの制御データを出力するようになっている。また、ワンチップマイコン７は、入出力ポート１２も内蔵しており、検査ボタンＢＴは入力ポートに接続され、報知ランプＰＬは出力ポートに接続されている。
【００２７】
通電制御回路８は、自動車バッテリＥを電源電圧としてＯＮ／ＯＦＦ動作する第１回路８Ａと、自動車バッテリＥを通電制御する第２回路８Ｂと、機器トラブル時に本装置ＥＱＵを自動車から切り離す第３回路８Ｃとで構成されている。ここで、第３回路は、剥離シート３でスライド操作片を覆われたスライドスイッチＳＷ０で構成されている。
【００２８】
第１回路８Ａは、出力ポート１１のプルアップ抵抗Ｒと、出力ポート１１の出力する制御データをベース端子に受けるスイッチングトランジスタＴｒと、トランジスタＴｒのコレクタ端子に接続された第１リレーコイルＬ１及び常閉リレー接点ＳＷ３とで構成されている。
【００２９】
第２回路８Ｂは、第１リレーコイルＬ１が導通すると開放される常閉リレー接点ＳＷ２と、通電されると常閉リレー接点ＳＷ３を開放させる第２リレーコイルＬ２と、常閉リレー接点ＳＷ２とリレーコイルＬ２の接続点をグランドに接続するコンデンサＣとで構成されている。なお、第１回路８Ａ、第２回路８Ｂとも、自動車のスタートスイッチＳＷ１がＯＮ状態になると自動車バッテリＥの電圧を共通して受けるよう接続されている。
【００３０】
電源部９は、この実施例では、二つのＤＣ／ＤＣコンバータで構成されており、自動車バッテリの電圧を降下させてヒータ電源ＶＨと電源電圧ＶＣＣ、ＶＣを得ている。なお、この実施例では、自動車バッテリの電圧を直接受けているので、その分、自動車と本装置ＥＱＵとの配線がやや煩雑となる。そのため、図７（ａ）に示すように、ＤＣ／ＤＣコンバータに代えて、充電回路と充電電池を配置するのも好適である。
【００３１】
このような充電電池を搭載した回路構成では、自動車バッテリと直結する配線が不要となり、自動車運転中は、充電電池が充電されつつ各回路が動作し、自動車の停止中は、充電電池の出力のみでワンチップマイコン７を含む各回路が動作することになる。この場合、ヒータ電圧ＶＨと電源電圧ＶＣ，ＶＣＣとを一致させるのが望ましい。
【００３２】
また、図２の回路構成の場合には、自動車停止中も自動車バッテリの電圧が使用されるので、バッテリ放電量が問題になることもある。そこで、かかる場合には、本装置ＥＱＵに電源スイッチを設けて、自動車を長時間使用しない場合（例えば入庫時）には、バッテリからの通電を遮断するのが好適である。
【００３３】
また、原則としてバッテリ電圧を使用しない構成とし、運転者が検査ボタンＢＴを押圧したことに対応して通電を開始させるようにしても良い。この場合には、図７（ｂ）に示すように、検査ボタンＢＴの操作に対応して手動的でＯＮ動作し、自動車停止に対応して強制的にＯＦＦ動作する電源スイッチＢＴ’を配置する。但し、この場合には、検査ボタンＢＴ’を押圧操作後、数秒待ってアルコール検査を開始する必要がある。もっとも、自動車の始動回路を起動させないで、バッテリ供給だけが可能なスイッチ状態を有する車であれば、バッテリを供給状態でアルコールチェックをすれば良く、検査ボタンＢＴや電源スイッチＢＴ’は不要となる。
【００３４】
続いて、図４及び図５に基づいて本装置ＥＱＵの制御回路４の動作を説明する。
＜自動車のスタートスイッチＳＷ１が投入される前の初期状態＞
図４（ａ）に示すように、初期状態では、ワンチップマイコン７の出力ポート１１の出力はＨレベルになっている。また、リレーコイルＬ１，Ｌ２は共に通電しておらず、常閉リレー接点ＳＷ２，ＳＷ３は閉鎖状態である。
＜検査動作を経ることなくスタートスイッチＳＷ１が投入された場合＞
自動車を発車させる前には、アルコールチェックを受けることになっているが、アルコールチェック処理を経ることなく、スタートスイッチＳＷ１を投入した場合を考える。このような場合には、図４（ｂ）に示すように、スタートスイッチＳＷ１の投入と共に、自動車バッテリの電圧が第１回路８Ａと第２回路８Ｂに等しく加わる。
【００３５】
但し、第２回路８ＢではコンデンサＣが充電されるので、直ぐには、リレーコイルＬ２に電流が流れない。これに対して、第１回路８Ａでは、ＯＮ状態のスイッチングトランジスタＴｒを通してリレーコイルＬ１に電流が流れるので、これに対応して、常閉リレー接点ＳＷ２が開放状態となる。この常閉リレー接点ＳＷ２の開放状態はそのまま維持されるので、自動車のイグニッション回路５への通電は、引き続き阻止されて自動車が始動することはない。
＜検査動作を経てスタートスイッチが投入された場合＞
一方、運転席に着いた運転者がアルコールチェックの検査動作を行うと、呼気中のアルコール濃度が所定値を超えない限り、ワンチップマイコン７は、出力ポートにＬレベルの制御データを出力する。したがって、第１回路８ＡのスイッチングトランジスタＴｒはＯＦＦ状態となり、自動車のスタートスイッチＳＷ１がＯＮ状態となっても、第１回路８Ａには通電電流が流れない。
【００３６】
一方、第２回路８Ｂでは、コンデンサＣに過渡的な充電電流が流れた後、イグニッション回路５に向けて電流が流れ、リレーコイルＬ２が通電することによって、常閉リレー接点ＳＷ３が開放状態となる。
＜自動車運転中＞
以上の動作の結果、回路動作は図５（ｂ）の状態となり、その後のスイッチングトランジスタＴｒの動作に係わらず、第１回路８Ａが通電することはあり得ない。すなわち、雑音などの影響でワンチップマイコン７のプログラムが暴走して、スイッチングトランジスタＴｒにＨレベルの制御データが加わることがあっても、常閉リレー接点ＳＷ３の開放状態によって、第１回路８Ａの通電が防止される。また、第１回路８Ａの通電が防止されることにより、常閉リレー接点ＳＷ２の異常開放も防止される。このように、本装置ＥＱＵでは、第１回路８Ａの非通電状態が保証されるので、ワンチップマイコン７の出力ポート１１の制御データを、適当な時間経過後にＨレベルに移行させている。
【００３７】
以上、アルコールチェックで異常レベルのアルコール濃度が検出されなかった場合について説明したが、もし、異常レベルのアルコール濃度が検出されれば、出力ポート１１の出力は、Ｈレベルのままであるから、図４（ｂ）に関して説明したのと同じ動作によって、第２回路８Ｂの通電が阻止されたままとなる。
＜運転停止時＞
自動車が停止して、スタートスイッチＳＷ１が切られると、第２回路８Ｂ（リレーコイルＬ２）の通電も無くなるので、常閉リレー接点ＳＷ３は閉鎖状態に戻り、図４（ａ）の初期状態となる。
【００３８】
続いて、上記の動作を実現するワンチップマイコンの検査動作を、図６のフローチャートに基づいて説明する。先ず、ワンチップマイコンは、温度センサや湿度センサからの信号に基づいて温度及び湿度を計測・記憶しつつ（ＳＴ１）、運転者が、検査ボタンＢＴをＯＮ操作するのを待つ（ＳＴ２）。そして、検査ボタンＢＴが押されたら、報知ランプＰＬを赤色に点灯させると共に、検査動作における温度と湿度の判定基準値を決定する（ＳＴ３）。
【００３９】
判定基準値としては、検査ボタンＢＴが押圧された瞬間の温度や湿度を採用しても良いが、本装置ＥＱＵでは、自動車停止時にも温度や湿度を計測しているので、過去分の温度や湿度の計測値を考慮して、その推移による現在値の推定値や、過去データの平均値などから各判定基準値を決定している。
【００４０】
そのため、例えば、運転者がセンサに息を吹きかけつつ検査ボタンＢＴを押したような場合や、検査動作を繰返したような場合にも誤動作の虞れがない。すなわち、本装置ＥＱＵでは、各センサからの出力が正常レベルでないと判定されると（ＳＴ４，ＳＴ５，ＳＴ７参照）、再検査できるように構成されているが、そのような場合、仮に前回の検査動作時の呼気雰囲気（温度・湿度）が残っていても、判定基準値が不合理な値にならない。
【００４１】
いずれにしても、ステップＳＴ３の処理によって、温度や湿度の判定基準値が適宜に決定されるので、次に、各センサの出力電圧を入力して記憶する（ＳＴ４）。なお、報知ランプＰＬが点灯しても運転者が直ちに検査動作を開始するとは限らないので、所定間隔（例えば１秒）に行うデータ入力処理を、所定の継続時間（例えば２分）実行し、取得データを順次メモリに記憶する（ＳＴ４）。
【００４２】
その後、記憶データをチェックして、運転者が呼気をセンサに吹き込んだ結果として、温度が有意に上昇したかを先ず確認する（ＳＴ５）。これは検査ボタンＢＴを押した後、運転者が何もしない可能性があり、そのような場合にアルコールチェック判定をしたのでは、意味もなく正常判定されてしまうからである。
【００４３】
ここで、有意に温度が上昇したか否かの判定は、温度判定基準値との関係で決定され、判定基準値が低い場合（寒い場合）と、高い場合（暑い場合）とでは判定ロジックを変えている。これは、寒い場合には、呼気の吹き付けにより、大きく温度が上昇する反面、暑い場合には、殆ど温度が上昇しないからである。そのため、判定基準値が所定値（例えば２８℃）より高い場合には、ステップＳＴ５の処理が事実上スキップされる。
【００４４】
いずれにしても、温度判定処理に合格すれば、次に、運転者の呼気の吹き込みによって、有意に湿度が上昇したか否かが判定される（ＳＴ６）。そして、湿度の有意な上昇が認められなかった場合には、温度判定の場合と同様、報知ランプＰＬを赤色に点滅させて、ステップＳＴ１の処理に戻る（ＳＴ８）。
【００４５】
逆に、温度判定や湿度判定によって計測値の有意な上昇が認められたら、そのタイミングにおけるアルコールセンサからの検査電圧に基づいて、アルコール濃度が正常レベルか否かを判定する（ＳＴ７）。この判定では、呼気中のアルコール濃度が０．１５ｍｇ／リットル（エタノール濃度７３ｐｐｍ程度）を超えれば、異常であると判定している。そして、異常レベルの場合には、報知ランプＰＬを赤色に点滅させて、ステップＳＴ１の処理に戻している（ＳＴ８）。
【００４６】
したがって、運転者は再検査を受けることが可能となるが、アルコール濃度が正常レベルでない限り、出力ポート１１の制御データがＨレベルからＬレベルに変ることはなく、自動車を発車させることはできない。なお、本装置ＥＱＵでは、温度センサと湿度センサとによって常に温度と湿度とを把握しているので、アルコールセンサの出力電圧とアルコール濃度との関係を適宜に校正することが可能となり、この意味でも検査精度が高い。
【００４７】
ステップＳＴ７の判定で、アルコール濃度が所定値未満であると判定されると、次にワンチップマイコン７は、出力ポート１１からＬレベルの制御データを出力する（ＳＴ９）。この動作の結果、スイッチングトランジスタＴｒがＯＦＦ状態となり、第２回路８Ｂの短絡状態が維持されて、自動車が問題なく始動可能となる（図５（ａ）（ｂ）参照）。
【００４８】
そこで、ワンチップマイコン７は、正常となった判定結果を報知するべく報知ランプＰＬを緑色に点灯させ（ＳＴ１０）、所定時間（例えば３分）消費した後（ＳＴ１１）、出力ポート１１の出力する制御データをＨレベルに戻す（ＳＴ１２）。また、報知ランプＰＬを消灯させてステップ１の処理に戻る（ＳＴ１３）。このような、本装置では、報知ランプＰＬが緑色に点灯している限り、自動車の始動操作が可能であるが、その間に自動車の始動を終えないと、報知ランプＰＬが消灯した後は、再度、アルコールチェックを受ける必要が生じる。
【００４９】
以上、本発明の一実施例について具体的に説明したが、具体的な記載内容は何ら本発明を限定するものではなく、本発明の趣旨を逸脱しない範囲で、適宜に変更可能である。例えば、アルコール濃度を計測することは必須であるが、簡易的には温度センサや湿度センサを省略しても良い。逆に、温度センサや湿度センサに加えて圧力センサや流量センサを加えても良い。このようにセンサを追加すると、事実上、不正なアルコールチェックが不可能となる。
【００５０】
また、実施例で説明した構成に加えて、計時機能とデータ保存機能とデータ読出機能とを設け、運転者が検査動作を受けた時刻や回数やアルコール濃度値をメモリに記憶し、適時に記憶データを読み出すのも好適である。このような構成を採ると、より綿密に運行管理をすることができる。
【００５１】
なお、図２の実施例では、アルコールチェックに合格してから自動車のスタートスイッチＳＷ１をＯＮ操作する操作例を説明したが、図２の回路構成によれば、スタートスイッチＳＷ１をＯＮ操作してから、アルコールチェックを実施しても正常に動作する。そして、自動車のスタートスイッチＳＷ１をＯＮ操作してからアルコールチェックを受ける場合には、図２の回路構成に限らず、図７（ｃ）のように、自動車バッテリに依存しない機器構成が可能となる。
【００５２】
図７（ｃ）の回路構成の場合には、(a)先ず、自動車のスタートスイッチＳＷ１をＯＮ操作する必要があり、(b)その後、温度及び湿度を計測すると共に、アルコールセンサが加熱されるのを６０秒程度待った後、(c)検査ボタンＢＴの押圧があると、各センサからの電圧を入力することになる（図６のＳＴ４）。その後の処理は、図６のステップＳＴ５〜ＳＴ１３と同じであるが、自動車が突然始動すると、慣れない運転者には違和感がある。そこで、報知ランプを緑色に変更すると共にブザー等を鳴らし、更に数秒経過した後に、出力ポート１１からＬレベルの制御データを出力するのが好適である。
【００５３】
もっとも、ジーゼルエンジンを搭載した乗物のように予熱動作が必要な場合には、その予熱動作時に上記したアルコールチェックを受けることができ、アルコールチェックをパスした後、円滑に始動動作に移行できる。
【図面の簡単な説明】
【００５４】
【図１】実施例に係る飲酒運転防止装置の外観状態を図示したものである。
【図２】飲酒運転防止装置の制御回路を示したものである。
【図３】アルコールセンサ回路を例示したものである。
【図４】制御回路の動作を説明する図面である。
【図５】制御回路の動作を説明する別の図面である。
【図６】ワンチップマイコンの制御動作を説明するフローチャートである。
【図７】図２の変形例を図示したものである。
【符号の説明】
【００５５】
ＥＱＵ    飲酒運転防止装置
ＨＮ      検査部
１        本体部
４        制御回路
８Ａ      第１回路
８Ｂ      第２回路
【図１】
2005096663.tif 000003
【図２】
2005096663.tif 000004
【図３】
2005096663.tif 000005
【図４】
2005096663.tif 000006
【図５】
2005096663.tif 000007
【図６】
2005096663.tif 000008
【図７】
2005096663.tif 000009